(57)【要約】【課題】  燃焼排ガス中のＮＯｘ、ＮＯ2 成分の抑制が可能な温風暖房機を提供する。【解決手段】  送風用のプロペラファン３と、燃焼器５と燃焼器５を囲むようにして設けられた円筒状の燃焼リング９とを内部下部に有し、ファン３からの空気を取り入れる空気取り入れ口１０が側面下部に設けられた燃焼筒４と、燃焼筒４と燃焼リング９との間に設けられ、空気取り入れ口１０から流入した空気を燃焼リング９に導く空気ガイド１１とを備え、空気ガイド１１は、燃焼筒４の内壁から燃焼リング９に向かって突出するように周設されているとともに、その先端１１ａの位置が、燃焼リング９の高さ位置よりも低い位置となるように構成されているものである。【選択図】        図１
2005226936.tif 000002
【特許請求の範囲】
【請求項１】
送風用のファンと、
燃焼器と、
該燃焼器を囲むようにして設けられた円筒状の燃焼リングと、
前記燃焼器と前記燃焼リングとが内部下部に設けられ、前記ファンからの空気を取り入れる空気取り入れ口が側面下部に設けられた燃焼筒と、
前記燃焼筒と前記燃焼リングとの間に設けられ、前記空気取り入れ口から流入した空気を前記燃焼リングに導く空気ガイドとを備え、
前記空気ガイドは、前記燃焼筒の内壁から前記燃焼リングに向かって突出するように周設されているとともに、その先端の位置が、前記燃焼リングの高さ位置よりも低い位置となるように構成されていることを特徴とする温風暖房機。
【請求項２】
前記空気ガイドは、その先端が前記燃焼リングの下部側に位置するように設けられていることを特徴とする請求項１記載の温風暖房機。
【請求項３】
前記空気ガイドは、前記空気取り入れ口から流入した空気の流路を絞るように、前記燃焼筒の前記空気取り入れ口の上方の位置から前記燃焼リング側面外周に向けて斜め下向きに傾斜するように設けられていることを特徴とする請求項１又は請求項２記載の温風暖房機。
【請求項４】
前記空気ガイドの先端と燃焼リングの外周面との間の円周状の隙間の面積が、前記空気取り入れ口の面積よりも小さく形成されていることを特徴とする請求項１乃至請求項３の何れかに記載の温風暖房機。
【発明の詳細な説明】
【技術分野】
【０００１】
本発明は送風用のファンを有し、液体燃料を燃焼して暖房を行なう温風暖房機に関するものである。
【背景技術】
【０００２】
この種の温風暖房機では、排ガス中の有害成分の抑制が課題とされ、従来は、プロペラファンより送られた冷風を、燃焼筒や燃焼筒内に配置された整流板からの輻射、伝熱により温め、その温めた空気を２次空気として燃焼部に送り込むことにより、燃焼特性を良化し、排ガス中の有害成分の抑制を行っている（例えば、特許文献１参照）。
【０００３】
【特許文献１】実開昭５７−０５０６０５号公報
【発明の開示】
【発明が解決しようとする課題】
【０００４】
上記従来技術では、輻射や伝熱で温められた空気を燃焼２次空気として導入することにより、排ガス中の有害成分の１つであるＣＯを抑制することに関しては十分な効果があった。しかしながら、火炎温度を下げることについては配慮されていないため、火炎温度の高温化に起因したＮＯｘ、ＮＯ2 成分発生を抑制する効果は殆ど期待できないという問題点があった。
【０００５】
本発明はこのような点に鑑みなされたもので、燃焼排ガス中のＮＯｘ、ＮＯ2 成分の抑制が可能な温風暖房機を提供することを目的とする。
【課題を解決するための手段】
【０００６】
本発明に係る温風暖房機は、送風用のファンと、燃焼器と、燃焼器を囲むようにして設けられた円筒状の燃焼リングと、燃焼器と燃焼リングとを内部下部に有し、ファンからの空気を取り入れる空気取り入れ口が側面下部に設けられた燃焼筒と、燃焼筒と燃焼リングとの間に設けられ、空気取り入れ口から流入した空気を燃焼リングに導く空気ガイドとを備え、空気ガイドは、燃焼筒の内壁から燃焼リングに向かって突出するように周設されているとともに、その先端の位置が、燃焼リングの高さ位置よりも低い位置となるように構成されているものである。
【発明の効果】
【０００７】
本発明は、空気ガイドを、燃焼筒の内壁から燃焼リングに向かって突出するように周設するとともに、その先端の位置が、燃焼リングの高さ位置よりも低い位置となるように構成したので、空気取り入れ口から流入した空気の全てを燃焼リングの側面に確実に接触させて燃焼リングを冷却することができる。これにより、燃焼リングに接触している火炎の温度を下げることができ、排ガス中の有害成分であるＮＯｘ、ＮＯ2 成分を抑制することが可能となる。
【発明を実施するための最良の形態】
【０００８】
図１は、本発明の一実施の形態の温風暖房機の縦断面図、図２は図１の燃焼筒の斜視図、図３は図１の燃焼筒内部の拡大縦断面図である。
本実施の形態の温風暖房機において、本体ケース１の背面側には、本体ケース１の背面の空気吸込口２から室内空気を吸引する送風用のファン（プロペラファン）３が設けられ、その前方には燃焼筒４が設けられている。燃焼筒４の内部下部には燃焼器５が設けられており、この燃焼器５の燃焼により発生する火炎６により発生した熱気は、燃焼筒４により上方へ展開され、風洞７内でプロペラファン３からの冷却風と混合されて、適温風として前方の温風吹き出し口８より室内へと放出されるようになっている。
【０００９】
燃焼筒４の内部には、燃焼器５の他に、燃焼器５の燃焼により発生する燃焼火炎６を保炎するための円筒状の燃焼リング９が燃焼器５を囲むようにして設けられている。また、
燃焼筒４の側面下部には、プロペラファン３からの空気を取り入れる空気取り入れ口１０が設けられているとともに、燃焼筒４と燃焼リング９との間には空気ガイド１１が設けられており、空気取り入れ口１０から流入してきた空気が空気ガイド１１によって燃焼リング９に導かれるようになっている。
【００１０】
空気ガイド１１は、燃焼筒４の内壁から燃焼リング９に向かって突出するように周設されているとともに、その先端１１ａの位置が、燃焼リング９の高さ位置よりも低い位置となるように構成されており、空気取り入れ口１０から流入された空気の全てを、燃焼リング９の側面に確実に接触させて燃焼リング９を効果的に冷却できる構造となっている。なお、本例では、空気ガイド１１の先端１１ａの位置が、燃焼リング９の下部側に位置するように構成されており、空気取り入れ口１０から流入された空気を燃焼リング９の下部側から接触させることができるようになっている。
【００１１】
また、空気ガイド１１は、空気取り入れ口１０から流入された空気の流路を絞るように、燃焼筒４内壁の空気取り入れ口１０の上方の位置から燃焼リング９側面外周に向けて斜め下向きに傾斜するように構成されており、燃焼リング９に接触させる空気の流速を高める構成となっている。さらに、空気ガイド１１の先端１１ａと燃焼リング９の外周面との間の円周状の隙間の面積が、空気取り入れ口１０の面積（図３の各空気取り入れ口の合計面積）よりも小さくなるように形成されており、確実に空気の流速を高めることが可能な構成となっている。
【００１２】
次に、上述のように構成された本実施の形態の温風暖房機の動作について説明する。
燃焼器５は、燃焼ノズル５ａによって供給された液体燃料（灯油）を内部で気化し、この気化した燃料蒸気と、燃焼器５内部に吸い込まれた燃焼用空気とを混合し、その混合ガスを燃焼させ燃焼火炎６を発生させる。それと同時に送風用のプロペラファン３が回転し、本体ケース１背面の空気吸い込み口２から吸い込まれた空気が、前方へ向かう空気Ａとなって風洞７内に送風される。空気Ａは、燃焼火炎６により発生した燃焼ガスＢと風洞７内で混合し、温風Ｃとなって本体ケース１前面に設置された温風吹き出し口８より送風される。
【００１３】
送風用のプロペラファン３の回転によって空気吸い込み口２から吸い込まれ、前方へ送り出された空気Ａの一部は、燃焼筒４の側面下部に設けられた空気取り入れ口１０から燃焼筒４内に流入する。燃焼筒４内に流入した空気Ｄは、空気ガイド１１によって燃焼リング９へと導かれ、燃焼リング９の側面に接触して燃焼リング９を冷却しながら燃焼筒４の上方へ抜けていく。
【００１４】
ここで、空気ガイド１１は、その先端１１ａの位置が、燃焼リング９の高さ位置よりも低い位置となるように構成されているので、空気取り入れ口１０から流入した空気の全てを燃焼リング９の側面に確実に接触させることができるようになっている。加えて本例では、先端１１ａの位置が燃焼リング９の下部側に位置しているので、燃焼リング９の側面下部から側面上部へと、燃焼リング９側面全体に空気が接触する流路が形成されて燃焼リング９を効果的に冷却できるようになっている。これにより、燃焼リング９に接触している燃焼火炎６の火炎温度を下げることができ、排ガス中の有害成分であるＮＯｘ、ＮＯ2 成分を抑制することが可能となっている。
【００１５】
また、空気ガイド１１は、燃焼筒４内壁の空気取り入れ口１０の上方の位置から燃焼リング９側面下部外周に向けて斜め下向きに傾斜するように設けられているため、空気取り入れ口１０から取り入れられて燃焼リング９側面下部へと導かれる空気Ｄの流路が絞られ、空気取り入れ口１０から流入された空気Ｄの風圧が強くなっている。また、空気ガイド１１の先端１１ａと燃焼リング９の外周面との間の円周状の隙間の面積が、空気取り入れ口１０の面積よりも小さく形成されていることからも、空気Ｄの風圧が強くなっており、燃焼リング９に強く吹き付けられる。これにより、燃焼リング９が効果的に冷却され、ＮＯｘ、ＮＯ2 成分の発生が顕著に抑制されている。
【図面の簡単な説明】
【００１６】
【図１】本発明の一実施の形態の温風暖房機の縦断面図である。
【図２】図１の燃焼筒を側面から見た斜視図である。
【図３】図１の燃焼筒内部の拡大縦断面図である。
【符号の説明】
【００１７】
３  プロペラファン、４  燃焼筒、５  燃焼器、９  燃焼リング、１０  空気取り入れ口、１１  空気ガイド、１１ａ  空気ガイドの先端。
【図１】
2005226936.tif 000003
【図２】
2005226936.tif 000004
【図３】
2005226936.tif 000005